(57)【要約】【課題】  光透過性のある樹脂パネルに文字・図形等を彫刻して側面から光を当てて文字・図形を発光表示させる広告宣伝用の照明装置で、表示の切替えを容易にしたことを特徴とした可動照明装置を提供する。【解決手段】  樹脂パネルを複数枚重ねて並べ、ライン状に複数個フルカラーＬＥＤを並べ、このＬＥＤの位置を移動させることによって照明する樹脂パネルを選択して、それぞれのパネルに表わされた文字・図形を照明して広告、宣伝効果を高める。【選択図】  図１
2006030924.tif 000002
【特許請求の範囲】
【請求項１】
表面に文字・図形等を彫刻した光透過性を有するパネルを複数枚重ねて立置し、該パネルの側面からライン状に多数個並べたフルカラーＬＥＤで照明し、前記刻印された文字・図形等をＬＥＤ発光色や光量・点滅させて表示し、前記ライン状ＬＥＤの位置を移動してパネルを照明するＬＥＤ可動照明装置。
【請求項２】
表面に文字・図形・キャラクター等を彫刻した光透過性を有する樹脂パネルを複数枚重ねて立置し、該パネルの側面からライン状に多数個並べたフルカラーＬＥＤで照明し、前記刻印された文字・図形・キャラクター等をＬＥＤ発光色や光量・点滅で表示し、ＬＥＤを移動させて文字・図形・キャラクターを動画化させて表示するＬＥＤ可動照明装置。
【請求項３】
フルカラーＬＥＤはＲＧＢの赤・緑・青の３チップを１パッケージに納めたＬＥＤであって、自由に光色を調節できることとした請求項１又は２に記載のＬＥＤ可動照明装置。
【発明の詳細な説明】
【技術分野】
【０００１】  本発明は、ライン状に配列されたＬＥＤ光源を移動させて、パネルに画かれた文字・図形・キャラクターを選択表示する広告、宣伝等に用いる可動照明装置に関する。
【背景技術】
【０００２】  文字や図形等を透明なアクリル樹脂板に刻印すること、また側面から照明して表示する方法などはすでに知られていて表示手段として使用されている。
【特許文献１】  特開平２００３−４３９５７号公報
【発明の開示】
【発明が解決しようとする課題】
【０００３】  しかし、このような従来の照明システムは、大きいランプやインバーターが必要な蛍光灯又は多数のＬＥＤ、複雑なコントローラーが必要なため定期的な点検が必要であり、またＬＥＤであっても高価なものとなって宣伝・広告用としての普及度は低い。
【課題を解決するための手段】
【０００４】  発明者は、この点に鑑み鋭意研究を続けた結果本発明に到達したものであって、本発明は、アクリル樹脂板のような光透過性のパネルの表面に文字・図形等を刻印し、このパネルを複数枚重ねて立置し、この側面（底面）からライン状に多数列べたフルカラーＬＥＤを照明用として配置し、このＬＥＤをパネル毎に移動させることによって、それぞれのパネルに画かれた文字や図形を発光させる可動式の照明装置を提供するものである。
【発明の効果】
【０００５】  上述のように本発明の可動式照明装置は、ライン状に配置したフルカラーＬＥＤを光源とし、この光源をパネルの位置ごとに移動させることによって、それぞれのパネルに画かれた文字や図形を発光させることができる。【０００６】  しかも光の色や光度を変えることによって周囲の注目を集める宣伝効果は抜群で、また文字や図形に変えてキャラクターの動きなどを画くことによって簡単なアニメーションも表現できる。【０００７】  そして本発明はアクリル樹脂板を用いることによって小型の卓上型から大形のものまで利用でき、図示される８個のチップＬＥＤで１２０×２０００ｍｍサイズのものまで表示が可能であり、さらにチップの数を増すか、対面して可動するＬＥＤ又は反射鏡を使用すれば、より大きな宣伝広告用の照明装置となる。
【発明を実施するための最良の形態】
【０００８】  本発明の照明装置は、添付図面の図１に示すように小型でスマートな宣伝広告用の照明装置であって、光源としてＲＧＢの３チップを１パッケージに納めたフルカラーＬＥＤをライン状に並べることによって発熱が少く、照射面との距離を短縮でき、導光のロスのない光源となり、結果として高輝度で省スペース、省エネ、低ノイズの照明装置を得ることができた。
【実施例】
【０００９】  添付図面により本発明の実施例を説明すると、図１は完成された本発明のフルカラーＬＥＤ可動照明装置の全体を示す斜視図であって、Ａは表示用の樹脂パネルであって、図示にあってはＡ−１，Ａ−２，Ａ−３と３枚立設して配置されている。この樹脂パネルＡは、例えばアクリル樹脂製であり、それぞれの表面には宣伝広告用の文字や図形Ｐが彫刻などによって画かれている。図示では出願人の登録商標である「ＲＯＹＡＬ」の文字が刻まれている。ＢはフルカラーＬＥＤコントロール部であり、（５）はカラー選択ツマミ、（６）は点灯モード切替スイッチ、（７）は調光ボリュームツマミを示している。また（１５）は後述する光源であるラインＬＥＤ可動レバーを示す。【００１０】  図２及び図３は内部構造を表わす断面図であって、図２は縦断面図であり、図３は横断面図である。表示パネルＡの下部には図３を参照してフルカラーＬＥＤチップ（１０）が一列にライン状に基板（１４）上に装着されていて光源を形成している。この基板（１４）は可動レバー（１５）によって手動又は自動で前後に移動可能となっている。【００１１】  このライン状のＬＥＤ光源を手動又は自動でスライドさせることによってあらかじめ刻印された樹脂パネルＡを重ねて並べた側面（底面）をパネルを直角方向に移動させることで発光させ、選択できるようにしたことで表示される文字・図形の切替えを容易にする。このようにパネルの側面（底面）から入射したＬＥＤの光は１枚のパネル内を反射しながら透過して彫刻された文字・図形に当って拡散光となって発光して表示される。【００１２】  図４乃至図６は可動レバー（１５）を移動させることによってライン状の光源は図４のようにＡ−１のパネルを、図５のようにＡ−２のパネルを、また図６のようにＡ−３のパネル内を反射しながら透過して発光表示される。それぞれのＢ図は光源の位置を示している。【００１３】  図７は別の実施例で、大型のパネルを使用して、横方向からライン状のＬＥＤ光源を当てた例であり、このように使用することによって８個のチップで２ｍ程度まで実用可能であるため広告宣伝効果を十分発揮することができる。またパネルＡに刻印する文字や図形に変えてキャラクター等を用いることによってアニメーションの動画としても表現できる。図中の符号（５）はカラー選択ツマミ、（６）は点灯モード切替スイッチ、（７）は調光ボリュームツマミ、（９）はＬＥＤドライバー回路基板、（１１）はパルス制御基板をそれぞれ示している。又Ｅは電源ＤＣジャックである。
【産業上の利用可能性】
【００１４】  本発明の可動照明装置は、光源をライン状の可動式としてアクリル板に刻印された文字や図形を別々に切替え自在に表現でき、しかも発光色や光量の変化、点滅等も可能であって、広吉宣伝用として利用価値はきわめて大きい。
【図面の簡単な説明】
【００１５】
【図１】  製品全体を示す斜視図
【図２】  内部構成を示す断面図
【図３】  内部構成を示す横断面図
【図４】  光源移動の実施例図（Ａ−１パネル）
【図５】  光源移動の実施例図（Ａ−２パネル）
【図６】  光源移動の実施例図（Ａ−３パネル）
【図７】  大形パネルの実施例図（半裁図）
【符号の説明】
（５）…カラー選択ツマミ
（６）…点灯モード切替スイッチ
（７）…調光ボリュームツマミ
（９）…ＬＥＤドライバー回路基板
（１０）…ライン状ＬＥＤ
（１１）…パルス制御基板
（１５）…ラインＬＥＤ可動レバー
Ａ…表示発光パネル
Ｂ…フルカラーＬＥＤコントロール部
Ｐ…文字・図形
【図１】
2006030924.tif 000003
【図２】
2006030924.tif 000004
【図３】
2006030924.tif 000005
【図４】
2006030924.tif 000006
【図５】
2006030924.tif 000007
【図６】
2006030924.tif 000008
【図７】
2006030924.tif 000009